(57)【特許請求の範囲】
【請求項１】
メモリに記憶されたデータに基づいて映像信号を生成するための複数の映像信号生成手段と、
前記複数の映像信号の中から、いずれか１以上の映像信号を選択し、該選択された映像信号に基づいて、出力する映像信号を生成する映像信号合成手段とを備えた映像信号生成装置において、
前記映像信号合成手段で選択する映像信号を生成するための映像信号生成手段に対して、該映像信号を生成するために必要なメモリは、所定のブロック単位に分割されており、当該分割されたメモリの１つに前記複数の映像信号生成手段からアクセス可能に割り当てる制御手段を備え、
前記複数の映像信号生成手段のうち少なくとも１の映像信号生成手段は、ＣＰＵからの指示に基づき前記制御手段によって割り当てられた前記メモリにデータを記憶し、該メモリに記憶されたデータに基づいて映像信号を生成すること
を特徴とする映像信号生成装置。
【請求項２】
メモリに記憶されたデータに基づいて映像信号を生成するための複数の映像信号生成手段と、
前記複数の映像信号の中から、いずれか１以上の映像信号を選択し、該選択された映像信号に基づいて、出力する映像信号を生成する映像信号合成手段とを備えた映像信号生成装置において、
前記映像信号合成手段で選択する映像信号を生成するための映像信号生成手段に対して、該映像信号を生成するために必要なメモリは、所定のブロック単位に分割されており、当該分割されたメモリの１つに前記複数の映像信号生成手段からアクセス可能に割り当てる制御手段を備え、
前記制御手段は、前記メモリのブロックをＣＰＵからアクセス可能に割り当てる機能を備えること
を特徴とする映像信号生成装置。
【請求項３】
メモリに記憶されたデータに基づいて映像信号を生成するための複数の映像信号生成手段と、
前記複数の映像信号の中から、いずれか１以上の映像信号を選択し、該選択された映像信号に基づいて、出力する映像信号を生成する映像信号合成手段とを備えた映像信号生成装置において、
前記映像信号合成手段で選択する映像信号を生成するための映像信号生成手段に対して、該映像信号を生成するために必要なメモリを、所定のブロック単位で、当該映像信号生成手段からアクセス可能に割り当てる制御手段を備え、
前記制御手段は、前記メモリの複数のブロックを１の映像信号生成手段またはＣＰＵに割り当てる場合には、当該映像信号生成手段またはＣＰＵが連続したアドレスでアクセス可能に割り当てること
を特徴とする映像信号生成装置。
【請求項４】
請求項１ないし請求項３の何れか１項に記載の映像信号生成装置において、
前記複数の映像信号生成手段のうち少なくとも１の映像信号生成手段は、外部からの映像信号をデータとして、前記制御手段によって割り当てられた前記メモリに取り込み、該メモリに取り込まれたデータに基づいて映像信号を生成すること
を特徴とする映像信号生成装置。
【請求項５】
請求項４に記載の映像信号生成装置において、
前記外部からの映像信号は解像度変換が必要な映像信号であること
を特徴とする映像信号生成装置。
【請求項６】
請求項１ないし請求項５の何れか１項に記載の映像信号生成装置において、
当該請求項における各手段は前記メモリを搭載したチップ内に備えること
を特徴とする映像信号生成装置。
【請求項７】
請求項１ないし請求項６の何れか１項に記載の映像信号生成装置を備えたナビゲーション装置。
【発明の詳細な説明】
【０００１】
【発明の属する技術分野】
映像信号生成装置等に関する。
【０００２】
【従来の技術】
従来より、車両に搭載され、ナビゲーション用の映像、エアコン・オーディオ等の状態等を示す映像、テレビ放送の受信映像などを合成（切替等を含む）して、ディスプレイに表示するマルチビジョンシステムが知られている。
【０００３】
このような従来のマルチビジョンシステムは、例えば図３に示すように、エアコン・オーディオ等の機器の状態等を示す映像信号を生成するディスプレイ装置６０と、ナビゲーション用の映像信号を生成するナビゲーション装置７０と、これらの映像信号及び図示しないテレビ受信機からの映像信号を入力して合成して表示する表示装置８０とを備えたシステムとして構成される。
【０００４】
ディスプレイ装置６０は、ＣＰＵ６２が、図示しないＩ／Ｏ部から取り込んだエアコン等の状態に基づき、表示内容をメモリ６４ｂに書き込む。一方ディスプレイ映像処理部６４ａは、メモリ６４ｂに書き込まれたデータからディスプレイ映像信号を生成して出力する。
【０００５】
ナビゲーション装置７０も同様に、ＣＰＵ７２がＩ／Ｏ部７４ｃを介してＤＶＤプレーヤまたはＣＤプレーヤ等の記憶装置７６から読み出した地図データ等をメモリ７４ｂに書き込む。そして、ディスプレイ映像処理部７４ａは、メモリ７４ｂに書き込まれたデータからナビ映像信号を生成して出力する。
【０００６】
なお、ディスプレイ映像信号、ナビ映像信号及びテレビ受信機からのテレビ映像信号は、例えばアナログＲＧＢ信号として出力される。
そして表示装置８０の映像信号合成部８２は、これらの映像信号を入力し、表示装置８０に備えた図示しないスイッチの状態によって、入力した映像信号の中から１の映像信号を選択してディスプレイ８４へ出力したり、入力した映像信号に対して拡大縮小合成等の加工をした映像信号をディスプレイ８４へ出力する。そして、ディスプレイ８４は、映像信号合成部８２から入力した映像信号に基づいて表示を行う。
【０００７】
【発明が解決しようとする課題】
このディスプレイ８４は、例えば３２０×２４０画素（以下ＣＧＡと称する）で構成され、アナログＲＧＢ信号を入力して表示するカラー液晶ディスプレイなどが用いられている。しかしながら、ナビゲーション装置の表示内容の高精度化のため、また記憶装置７６であるＤＶＤ等に記録された映像等を高画質で再生するためなどに、例えば６４０×４８０画素（以下ＶＧＡと称する）等の高解像度のディスプレイを用いることがある。この場合、従来のＣＧＡの４倍の画素に対する制御を行う必要があり、ディスプレイ装置のメモリ６４ｂやナビゲーション装置のメモリ７４ｂは、従来の４倍のメモリが必要となる。また、このような高解像度のディスプレイでは、入力する映像信号も従来のアナログＲＧＢ信号ではなく、デジタルＲＧＢ信号を用いることが多い。そのためテレビ受信機から出力されるアナログＲＧＢのテレビ映像信号も、一旦メモリに取り込んでデジタルＲＧＢ信号に変換する必要がある。さらに、テレビ映像の解像度に比べディスプレイの解像度が高くなるためテレビ映像の拡大処理を行う必要がありそのためのメモリも必要となる。
【０００８】
このように、高解像度のディスプレイに対応するために従来のものより各装置のメモリ容量をそれぞれ４倍にしたり、新たにメモリを設けたりする必要がある。したがって、コストがかかり、小型化も困難になるといった問題がある。
そこで本発明は、各種映像を表示処理するために使用するメモリ容量を無駄に増やすことなく高解像度のディスプレイに対応可能な映像信号生成装置等を提供することを目的とする。
【０００９】
【課題を解決するための手段及び発明の効果】
上述した問題点を解決するためになされた請求項１に記載の映像信号生成装置は、映像信号合成手段で選択される映像信号を生成するための映像信号生成手段に対してメモリが所定のブロック単位で割り当てられる。
【００１０】
ここで「所定のブロック単位で割り当てる」とは、メモリ全体を複数のブロック（領域）に分けて、その中のいずれか１以上のブロックを割り当てることをいう。例えば、メモリ全体を第１〜第４の４つのブロック（部分）に分け、第１の映像信号生成手段に対して第１のメモリブロックを割り当て、第２の映像信号生成手段に対して第２・第３・第４のメモリブロックを割り当てるといった具合である。このような場合、第１の映像信号生成手段によって生成された映像信号と第２の映像信号生成手段によって生成された映像信号は、映像信号合成手段で合成されて出力される。
【００１１】
また、例えば制御手段は第３の映像信号生成手段に上記第１〜第４のすべてのメモリブロックを割り当て、第１及び第２の映像信号生成手段に対する割り当てを行わないようにして、第３の映像信号生成手段によって生成された映像信号を出力することもできる。
【００１２】
したがって、このように同時には出力を必要とされない映像信号を生成するための複数の映像信号生成手段間で、アクセスするメモリブロックを共有することができる。上述のように出力を要しない映像信号生成手段に割り当てていたメモリブロックを、出力を要する映像信号生成手段に割り当てることができる。よってメモリを効率的に利用することができる。つまり、最低限、同時に出力を行う必要のある映像信号を生成するための映像信号生成手段に割り当てるメモリブロックの合計容量さえ確保すればよいことになる。
【００１３】
例えば、図３に示した従来の構成をそのまま上述したＶＧＡの表示装置に適用しようとすると、ナビ映像信号とディスプレイ映像信号とを切り替えて表示する場合には、ナビ映像信号とディスプレイ映像信号とをそれぞれ生成するのに必要なメモリブロックの合計容量のメモリが必要である。しかし、請求項１に記載の発明によれば、最低限、ナビ映像信号を生成するために必要なメモリブロックの容量とディスプレイ映像信号を生成するのに必要なメモリブロックの容量のうちいずれか一方の多い方のメモリ容量（領域）を用意すればよいことになる。したがって、必要なメモリ量を削減することができ、システムを小型化することができる。
【００１４】
また、出力する映像信号であるか否か、すなわち選択する映像信号であるか否かは、例えばスイッチの状態に応じて決定するようにしてもよいし、例えば、メモリ等に書き込まれた状態に基づいて決定するようにしてもよい。また、所定の信号が入力された場合にその信号に応じて決定するようにしてもよい。例えばＣＰＵや映像信号の選択手段等からその信号等を出力して制御するようにしてもよい。
【００１５】
そして映像信号生成手段は、例えば請求項４に示すようにして、外部からの映像信号をメモリに取り込み、メモリ内のデータから映像信号を生成するものでもよいし、ＣＰＵによってメモリ内に描画（記憶）されたデータに基づいて映像信号を生成するものでもよい。請求項４に示す外部から取り込む映像信号としては、種々の映像信号を利用することができる。例えば、請求項５に示すようにテレビ等の解像度変換が必要な映像信号とするとよい。
【００１６】
そしてさらに請求項２に示すようにして、メモリをＣＰＵからアクセスできるようにすることで、例えばＣＰＵが実行するプログラムを格納したり、ＣＰＵのプログラム実行時のワークエリアとして利用したり、種々のデータを格納したりすることができる。
【００１７】
そして、このようにメモリを割り当てる際には、請求項３に示すように、割り当て対象の映像信号生成手段またはＣＰＵからは連続したアドレス空間としてメモリにアクセスできるように割り当てるとよい。このようにすれば、映像信号生成手段はメモリ内のデータに連続してアクセスすることができ、映像信号を容易に生成することができる。したがって、各映像信号生成手段のハードウェアの構成を単純化することができる。そして、ＣＰＵもメモリ空間が分断されることなく、メモリに対して連続してアクセスすることができるので、格納するデータ構造の設計やプログラムの作成が容易になる。
【００１８】
このように各部の構成を単純化することができ、メモリ空間が分断されることによって生ずる未使用のメモリや、分断されたメモリに対応するためのプログラムやハードウェアが不要となり、使用するメモリ容量を削減することができる。よってシステムの小型化が可能となる。
【００１９】
そして、このようなメモリと各手段は請求項６に示すようなチップ内に設けるとよい。このようなチップでは、搭載されるメモリの容量が予め決まっている場合があり、そのような場合にも、有効にチップ内のメモリを利用することができる。また１チップ化することで小型化することができる。
【００２０】
上述した映像信号生成装置は、種々の電子機器に備えることができ、電子機器のメモリを削減し、機器を小型化することができる。例えば、請求項７に示したナビゲーション装置に備えることができる。このようなナビゲーション装置では、上述のようにメモリを有効利用することができるので、メモリ容量を削減することができ、ナビゲーション装置を小型化することが可能となる。
【００２１】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００２２】
図１及び図２は、実施例のナビゲーション装置１を示す図である。ナビゲーション装置１は、ＡＳＩＣ１０と各部の制御を行うＣＰＵ２０と、ＤＶＤプレーヤまたはＣＤプレーヤである記憶装置３０と、ディスプレイ４０を備える。
ディスプレイ４０は、デジタルＲＧＢ信号を入力して表示するＶＧＡ等（８００×４８０画素等）のカラー液晶ディスプレイである。このデジタルＲＧＢ信号は、例えば、同期信号等の制御信号とともにそれぞれの画素の色情報をＲＧＢそれぞれ８本の信号線を使ってデジタル信号でパラレルに送るものである。
【００２３】
ＡＳＩＣ１０は、Ａ／Ｄ変換器１１と、テレビ映像信号処理部１２と、映像信号合成部１３と、ディスプレイ映像信号処理部１４と、メモリ１５（メモリ１５ａ〜ｄ）と、Ｉ／Ｏ部１６とを備える。
ＣＰＵ２０は、図示しないＲＯＭに記憶されたプログラムを実行することで、ナビゲーション機能とテレビ表示機能とディスプレイ表示機能を実現する。ナビゲーション機能は、図示しないＧＰＳ等からの位置特定情報及び記憶装置３０にセットされた記録媒体からＩ／Ｏ部１６を介して上記位置特定情報及び地図情報を入力し、ナビゲーションのための表示情報を生成してメモリ１５に書き込んでディスプレイ４０へナビゲーション映像を表示させる機能を持つ。またテレビ表示機能は、外部の図示しないテレビ受信機から入力されたテレビ映像信号に基づいてテレビ映像を表示する機能である。そしてディスプレイ表示機能は、図示しないオーディオ装置またはエアコン等からネットワークを介して出力される表示指示情報を、Ｉ／Ｏ部１６から入力して表示情報を生成し、メモリ１５にその表示情報を書き込んで、表示させる機能である。
【００２４】
ＣＰＵ２０は、ＣＰＵ２０に接続された図示しない出力ポートを制御し、出力ポートに接続された各部への信号を制御する。すなわち、アドレスデコーダに対するテレビ表示制御信号と、テレビ映像信号処理部１２に対するデータ取込制御信号と、ディスプレイ映像信号処理部１４に対する解像度指示信号と、映像信号合成部１３に対する合成指示信号とを、出力ポートのレジスタに値を書き込むことで制御する。
【００２５】
メモリ１５は、メモリ１５ａ〜１５ｄの４部のメモリブロック（領域）からなる。そして、これらのメモリブロックをいずれの処理部に割り当てるかは、ＣＰＵ２０の出力ポートからのテレビ表示制御信号の状態に応じてアドレスデコーダが決定する。すなわち、メモリに接続されたアドレスデコーダは、テレビ表示制御信号がアクティブの場合には、テレビ映像信号処理部１２がアクセスするアドレスｉ０〜ｉ１にメモリ１５ａを割り当てる。また、ディスプレイ映像信号処理部１４とＣＰＵ２０のアクセスするアドレスｊ１〜ｊ２にメモリ１５ｂを割り当て、アドレスｊ２〜ｊ３にメモリ１５ｃを割り当て、アドレスｊ３〜ｊ４にメモリ１５ｄを割り当てる。
【００２６】
一方、テレビ表示制御信号がアクティブでない（インアクティブ）場合には、アドレスデコーダは、ディスプレイ映像信号処理部１４とＣＰＵ２０のアクセスするアドレスｊ０〜ｊ４に、メモリ１５ａ〜１５ｄのすべてを割り当てる。すなわち、アドレスｊ０〜ｊ１はメモリ１５ａに割り当て、アドレスｊ１〜ｊ２にメモリ１５ｂを割り当て、アドレスｊ２〜ｊ３にメモリ１５ｃを割り当て、アドレスｊ３〜ｊ４にメモリ１５ｄを割り当てる。
【００２７】
テレビ映像信号処理部１２は、ＣＰＵ２０の出力ポートからのデータ取込制御信号がアクティブの場合には、Ａ／Ｄ変換器１１によって、外部のテレビ映像受信機から入力するアナログＲＧＢ信号のテレビ映像信号をデジタルデータに変換し、変換されたデジタルデータを、アドレスｉ０〜ｉ１に取り込む。そして、取り込んだデータをアドレスｉ０〜ｉ１から読み出して、縦ｎ倍，横ｍ倍（例えば縦横２倍）に拡大したデジタルＲＧＢの映像信号を生成して映像信号合成部１３へ出力する。一方、ＣＰＵ２０の出力ポートからのデータ取込制御信号がアクティブでない場合には、アドレスｉ０〜ｉ１へのデータの取込を停止する。
【００２８】
ディスプレイ映像信号処理部１４は、アドレスｊ０〜ｊ４に割り当てられたメモリのうち、所定のアドレスの範囲のメモリ領域からデータを読み出して映像信号を生成する。例えば、ＣＰＵ２０の出力ポートからの解像度指示信号が高解像度表示モードの場合には、アドレスｊ０〜ｊ４のすべてにアクセスしてメモリ１５ａ〜１５ｄのすべての領域からデータを読み出して映像信号を生成し、映像信号合成部１３へ出力する。一方、ＣＰＵ２０から解像度指示信号が低解像度表示モードの場合にはアドレスｊ３〜ｊ４にアクセスしてメモリ１５ｄの領域からデータを読み出して映像信号を生成し、映像信号合成部１４へ出力する。
【００２９】
映像信号合成部１３は、合成指示信号がテレビ映像出力モードの場合には、テレビ映像信号処理部１２から出力される映像信号をディスプレイ４０へ出力する。一方、合成指示信号がディスプレイ映像出力モードの場合には、ディスプレイ映像信号処理部１２から出力される映像信号をディスプレイ４０へ出力する。また、合成指示信号が映像合成モードの場合には、テレビ映像信号処理部１２からの映像信号にディスプレイ映像信号処理部１４からの映像信号にスーパーインポーズ（重ね合わせ）してディスプレイ４０へ出力する。
【００３０】
ＣＰＵ２０は、利用者からのテレビ映像の表示指示またはナビゲーション映像の表示指示をスイッチ等の接続された入力ポートの状態を監視して検出する。また、図示しないオーディオ装置またはエアコン等からネットワークを介して動作状態等を示す表示指示の入力を検出する。そしてこれらの表示指示が検出された場合には、前述の各信号を制御する。したがって、前述の各信号に基づいて各部が動作し、ディスプレイ４０に表示する映像信号を生成される。
【００３１】
例えば、ＣＰＵ２０はテレビ映像の表示指示の入力を検出すると、アドレスデコーダへのテレビ表示制御信号をアクティブにし、テレビ映像信号処理部１２へのデータ取込制御信号をアクティブにし、ディスプレイ映像信号処理部１４への解像度指示信号を低解像度モードにし、映像信号合成部１３への合成指示信号をテレビ映像出力モードにするように出力ポートのレジスタに値を書き込む。したがって、アドレスデコーダはテレビ映像信号処理部１２がアクセスするアドレスｉ０〜ｉ１にメモリ１５ａを割り当て、ディスプレイ映像信号処理部１４とＣＰＵ２０のアクセスするアドレスｊ１〜ｊ４をメモリ１５ｂ〜１５ｄに割り当てる（図１参照）。またテレビ映像信号処理部１２は、Ａ／Ｄ変換器１１によって、外部のテレビ映像受信機から入力するテレビ映像信号をデジタルデータに変換し、変換されたデジタルデータをアドレスｉ０〜ｉ１に取り込む。すなわち、メモリ１５ａに取り込む。そして、メモリ１５ａに取り込んだデータをアドレスｉ０〜ｉ１から読み出して、縦ｎ倍，横ｍ倍（例えば縦横２倍）に拡大したデジタルＲＧＢの映像信号を生成して映像信号合成部１３へ出力する。そして、映像信号合成部１３は、テレビ映像信号処理部１２から出力された映像信号をディスプレイ４０へ出力する。したがって、ディスプレイ４０には、テレビ映像が表示されることとなり、テレビ表示機能を実現することができる。
【００３２】
一方、ＣＰＵ２０はナビゲーション映像の表示指示の入力を検出すると、テレビ映像信号処理部１２へのデータ取込制御信号をインアクティブにし、アドレスデコーダへのテレビ表示制御信号をインアクティブにし、ディスプレイ映像信号処理部１４への解像度指示信号を高解像度モードにし、映像信号合成部１３への合成指示信号をディスプレイ映像出力モードにする。したがって、テレビ映像信号処理部１２はデータの取込を停止し、アドレスデコーダはディスプレイ映像信号処理部１４とＣＰＵ２０のアクセスするアドレスｊ０〜ｊ４に、メモリ１５ａ〜１５ｄのすべてを割り当てる（図２参照）。そして、ＣＰＵ２０は、図示しないＧＰＳやジャイロ等の位置検出器からの情報や、記憶装置３０に挿入された記録媒体から地図データ等をＩ／Ｏ部１６を介して入力し、現在位置付近の地図等のナビゲーション情報を表示するためのデータをアドレスｊ０〜ｊ４に割り当てられたメモリ１５ａ〜１５ｄに書き込む。ディスプレイ映像信号処理部１４は、解像度指示信号が高解像度であるので、アドレスｊ０〜ｊ４のデータから映像信号を生成する。また、映像信号合成部１３は合成指示信号がディスプレイ映像出力モードであるので、ディスプレイ映像信号処理部１４から出力されるナビゲーション映像の映像信号をディスプレイ４０へ出力する。したがって、ディスプレイ４０にはナビゲーション映像が表示される。このようにしてナビゲーション機能を実現することができる。
【００３３】
また例えば、前述のようにテレビ映像の表示指示が入力され、テレビ映像を表示中に、図示しないオーディオ装置またはエアコン等から例えば動作状態等を示す表示指示情報がネットワークを介してＩ／Ｏ部１６に入力された場合には、ＣＰＵ２０は、その表示指示情報に基づいて表示情報を生成して、アドレスｊ３〜ｊ４に割り当てられたメモリ１５ｄに書き込み、映像信号合成部１３への合成指示信号を映像合成モードにする。ディスプレイ映像信号処理部１４は、テレビ映像の表示中は、前述のように解像度指示信号が低解像度モードに設定されているので、メモリ１５ｄのデータに基づいて映像信号を生成して映像信号合成部１３に出力している。映像信号合成部１３は、合成指示信号が映像合成モードであるので、テレビ映像信号処理部１２からの映像信号にディスプレイ映像信号処理部１４からの映像信号をスーパーインポーズしてディスプレイ４０へ出力する。したがって、テレビ映像にディスプレイ映像が重ねて表示される。よって、エアコンやオーディオ機器の状態をテレビを見ながら確認することができる。すなわちテレビ映像の表示中にディスプレイ機能を実現することができる。
【００３４】
一方、図２のようにナビゲーション映像の表示中に、オーディオ装置またはエアコン等から表示指示が入力された場合には、ＣＰＵ２０は、その表示指示情報に基づいて表示情報を生成して、メモリ１５ａ〜１５ｄに書き込まれたナビゲーション映像のデータに上書する。したがって、ナビゲーションの映像を表示しているときであっても、ディスプレイ映像を表示することができる。
【００３５】
このようにメモリ１５を分割して、利用形態に応じてメモリ１５の割り当て（マップ先）を変えることができる。よって、メモリ１５をそれぞれの表示を行うために別々に用意しなくて済む。すなわち、図３の従来の装置構成を、図１のディスプレイ４０の表示に適用した場合には、最低でも、高解像度のナビゲーション映像の表示のためにメモリ１５ａ〜１５ｄに相当するメモリと、テレビ映像の表示のためにメモリ１５ａに相当するメモリと、ディスプレイ表示のためにメモリ１５ｄに相当するメモリを用意する必要がある。一方、本実施例においては、メモリ１５ａ〜１５ｄを用意するだけで済む。また、これらに加えてテレビ映像の表示中はＣＰＵ２０のワーク用のメモリ領域も確保することもできる。
【００３６】
このように本実施例のナビゲーション装置１によれば、テレビ映像表示機能とナビゲーション機能とディスプレイ機能とを実現するためのメモリをそれぞれ別々に設ける必要がなく、少ないメモリ容量でこれらの機能を実現することができる。しかも、メモリ１５ａとメモリ１５ｂ〜１５ｄはアドレスｊ０〜ｊ４として連続したメモリ空間としてアクセス可能に割り当てられる。したがって、高解像度のナビゲーション用の映像をＣＰＵが書き込む際には、連続して書き込むことができ、ソフトウェアを単純化することができる。またディスプレイ映像信号処理部１４も連続してメモリ１５ａ〜１５ｄにアクセスして映像信号を生成することができ、ハードウェアを単純化することができる。
【００３７】
なお本実施例においては、ディスプレイ４０の入力する映像信号、すなわち映像信号合成部１３が出力する映像信号は、前述した方式のデジタルＲＧＢ信号としたが、もちろんその他の方式の映像信号であってもよい。
また本実施例においては、メモリ１５をメモリ１５ａ〜１５ｄの４部に分けて、各部に割り当てることとしたが、この分け方は自由に決めることができる。すなわち４部でなくてもよく、複数の部分（ブロック）に分ければよい。また、分け方も例えば、１部をＣＰＵ２０におけるプログラムの実行用のワーク領域として割り当て、残りの３部をナビゲーション映像の生成用に割り当てるようにしてもよいし、１部をテレビ映像の生成用に割り当て、残りの３部をナビゲーション映像の生成用に割り当てるようにしてもよい。
【００３８】
また、各部の制御はＣＰＵが行うこととしたが、スイッチ等から直接各信号を生成して制御するようにしてもよい。
そして、本実施例においては、テレビ表示制御信号の状態によって、アドレスデコーダがメモリ１５ａのアドレスを変更することとしたが、テレビ映像信号処理部１２とディスプレイ映像信号処理部１４のアクセスするアドレスに重なりがないようにし、アドレスデコーダがアクセスのあったアドレスに応じて割り当てるメモリを自動的に選択するようにしてもよい。例えばアドレスｉ０〜ｉ１内のアドレスにアクセスがあった場合にはメモリ１５ａを割り当て、アドレスｊ０〜ｊ１内のアドレスにアクセスがあった場合にもメモリ１５ａを割り当てるようにする。またアドレスｉ０〜ｉ１とアドレスｊ０〜ｊ１は重ならないように割り当てる。そしてスイッチ等からの指示に応じて、テレビ映像信号処理部１２のテレビ映像のデータのアドレスｉ０〜ｉ１の取込と、ＣＰＵ２０のナビゲーション映像のアドレスｊ０〜ｊ４への書き込みのいずれか一方を行うようにＣＰＵ２０が制御するようにすればよい。
【００３９】
なお、本実施例において、ＣＰＵ２０及びＡＳＩＣ１０が映像信号生成装置に相当する。そして、テレビ映像信号処理部１２とディスプレイ映像信号処理部１４が映像信号生成手段に相当し、映像信号合成部１３が映像信号合成手段に相当する。また、アドレスデコーダが制御手段に相当する。そして、ＡＳＩＣ１０がチップに相当する。
【図面の簡単な説明】
【図１】実施例のナビゲーション装置におけるテレビ映像表示時のメモリの割当状態を説明する図である。
【図２】実施例のナビゲーション装置におけるナビゲーション映像表示時のメモリの割当状態を説明する図である。
【図３】従来のナビゲーション装置を含むマルチビジョンシステムの構成図である。
【符号の説明】
１…ナビゲーション装置            １０…ＡＳＩＣ
１１…Ａ／Ｄ変換器                １２…テレビ映像信号処理部
１３…映像信号合成部              １４…ディスプレイ映像信号処理部
１４…映像信号合成部              １５ａ〜１５ｄ…メモリ
１６…Ｉ／Ｏ部                    ２０…ＣＰＵ
３０…記憶装置                    ４０…ディスプレイ
６０…ディスプレイ装置            ６４…ディスプレイＡＳＩＣ
６４ａ…ディスプレイ映像処理部    ６４ｂ…メモリ
７０…ナビゲーション装置          ７２…ＣＰＵ
７４…ナビＡＳＩＣ                ７４ａ…ディスプレイ映像処理部
７４ｂ…メモリ                    ７４ｃ…Ｉ／Ｏ部
７６…記憶装置                    ８０…表示装置
８２…映像信号合成部              ８４…ディスプレイ
【図１】
0004826030.tif 000002
【図２】
0004826030.tif 000003
【図３】
0004826030.tif 000004